(57)【要約】【課題】  食品、医薬品等の包装分野において、内容物の保存性を高めるための酸素遮蔽性の密閉包装容器であり、フランジの狭い幅のシール部分に密封性を重視しているために剥離強度を高く設計した包装容器において、使用時に開封口を活用して容易に開封できる包装容器を提供することである。  【解決手段】  包装容器のコーナー部に２箇所以上の開封口を設け、必要に応じて切り込みまたはノッチを設けて、２段階以上のフランジに沿った方向への蓋材剥離操作を行なうことにより、開封時にフランジの１辺のみをほぼシール幅で開封するために、一定の力で容器の変形も伴わずに誰でも容易に確実に開封することができる密封容器。【特許請求の範囲】
【請求項１】
容器本体と蓋材より形成され、容器本体フランジ部のシール部分に連続して設けられている未シール部分を開封口とするイージーオープンタイプの密封包装容器であって、容器のコーナー部に２箇所以上の開封口を設けて２段階以上の蓋材剥離操作で開封することを特徴とする包装容器。
【請求項２】
容器の隣り合わせたコーナー部に開封口を設けた請求項１記載の包装容器。  
【請求項３】
容器の１つのコーナー部に２分割した開封口を設けた請求項１記載の包装容器。
【発明の詳細な説明】
【技術分野】
【０００１】
本発明は食品・医薬品等の包装分野において内容物の保存性や保護のために、樹脂製のフィルムまたはシートよりなる容器本体に蓋材をシールすることにより密封し、使用時に容易に開封できる所謂イージーオープンタイプの密封包装容器に関するものである。
【背景技術】
【０００２】
イージーオープンタイプの密封包装容器は内容物の保存性や保護のための安定した密封性が要求されると共に、使用時に容易に開封できることが要求され、蓋材または底材のシール層を中心として樹脂の配合処方を検討することにより、シール界面の剥離、シール層と隣接層の界面での剥離、シール層の凝集剥離が安定して得られるように設計され、広く使用されてきた。
【０００３】
これらのイージーオープンタイプの密閉包装容器には、通常、容易に開封を開始できるように開封口が形成されており、カップ等丸い本体形状のものはフランジの一部を凸型とすることにより、トレイ等の四角い本体形状のものはコーナーのフランジ部を広くして活用することにより開封口が形成されている。
【０００４】
ハードトレイやカップなどの形状の定まった容器の場合は一方の手で容器本体をつかみ、他方の手で開封口をつかんで開封することが出来るが、０．５ｍｍ以下のシートを成形したトレイや軟質フィルムによるソフトガスパック包装のパッケージなどでは容器本体をつかんで開封のために力を加えると容器自身が変形するために、通常フランジのシール部分に連続して未シール部分を設けて開封口とし、未シール部分の蓋材と底材の両方をつかんで開封するようにして使用されている。
【０００５】
トレイ状の容器の場合、フランジ部の限られたシール幅で密封性を保持する為、高めの剥離強度の容器本体と蓋材の組み合わせ、例えば８００ｇ〜２０００ｇ／１５ｍｍの剥離強度のものが一般的に使用されており、開封にはかなり指先の力を必要とする。さらに、コーナーからの開封開始時には剥離している部分の幅が大きくなり非常に大きな力が必要となることから高齢者や手先の不自由な人では開封しにくいという問題があった。また、開封に従って、２本のフランジのシール部の間隔が広がって行く為に、包装容器本体が変形して剥がしにくくなるという問題も発生した。
【発明の開示】
【発明が解決しようとする課題】
【０００６】
本発明は、フランジの狭い幅のシール部分に密封性を重視しているために剥離強度を高く設計した包装容器において、使用時に開封口を活用して誰でも容易に確実に開封できる包装容器を提供することである。
【課題を解決するための手段】
【０００７】
本発明は、
（１）容器本体と蓋材より形成され、容器本体フランジ部のシール部分に連続して設けられている未シール部分を開封口とするイージーオープンタイプの密封包装容器であって、容器のコーナー部に２箇所以上の開封口を設けて２段階以上の蓋材剥離操作で開封することを特徴とする包装容器、
（２）容器の隣り合わせたコーナー部に開封口を設けた（１）項記載の包装容器、  
（３）容器の１つのコーナー部に２分割した開封口を設けた（１）項記載の包装容器、
である。
【発明の効果】
【０００８】
本発明に従うと、剥離強度を高く設計しているフランジ部のシール部分を、開封時にフランジの１辺のみをほぼシール幅でフランジに沿って開封するために、一定の力で容器の変形も伴わずに誰でも容易に開封することのできる包装容器を得ることが出来る。
【発明を実施するための最良の形態】
【０００９】
本発明は通常フォームフィルシールと呼ばれる、底材の成形工程、内容物の充填工程、真空またはガス置換するとともに蓋材と熱シールして密封する工程、最終製品形状への切断工程を連続して行う機械に適用して、未シール部分を開封口としてコーナーに２箇所以上設けることにより、容易に実現でき効果的に用いられる。また、成形、充填、シール、切断の１工程または複数の工程を別ラインで実施する包装容器に対しても使用することができる。
【００１０】
本発明は容器のコーナーフランジ部に設けた２個以上の開封口のうちの１個を利用して開封の第一段階としてフランジに沿った方向に蓋材を引裂きながら部分的に開封し、さらに残りの開封口を利用して他方のフランジに沿って蓋材を剥離して開封することにより、開封時の剥離部分の幅が一定幅以上にならずに、また包装容器を変形させずに安定した剥離状態で開封することができる。
【００１１】
本発明に用いられるフィルム及びシートは特に限定されるものではなく、イージーオープンタイプの包装容器の材料として公知のものを使用することが出きるが、蓋材として開封口から引裂き易い特性のものを用いることが好ましい。必要に応じて、開封口周辺にノッチや切り込みを設けることができる。また蓋材が任意の方向に引裂けるようにスリットやミシン目などフィルムがその部分で裂けやすくなる加工を施すこともできる。
【実施例１】
【００１２】
図１は実施例１の上方から見た平面図であり、図２は開封時の第一段階の上方から見た平面図、図３は開封時の第二段階の上方から見た平面図である。即ち隣り合わせたコーナー部に開封口１と開封口２を設け、開封口１の端部に切り込み３を設ける。開封口１から蓋材４を開封口２の方向に蓋材を引裂きながらフランジに沿って剥離することにより安定した剥離強度で容易に剥離することができる。さらに開封口２から開封口１と反対方向にフランジに沿って蓋材４を剥離することにより安定した剥離強度で容易に開封することができる。
【実施例２】
【００１３】
図４は実施例２の上方から見た平面図であり、図５は開封時の第一段階の上方から見た平面図、図６は開封時の第二段階の上方から見た平面図である。即ち隣り合わせたコーナー部に開封口１と開封口２を設け、それぞれの端部に切り込み３を設ける。開封口１から開封口２と反対方向に蓋材４を引裂きながらフランジに沿って剥離することにより安定した剥離強度で容易に剥離することができる。さらに開封口２から開封口１の方向にフランジに沿って蓋材４を引裂きながら剥離することにより安定した剥離強度で容易に開封することができる。
【実施例３】
【００１４】
図７は実施例３の上方から見た平面図であり、図８は開封時の第一段階の上方から見た平面図、図９は開封時の第二段階の上方から見た平面図である。即ちコーナー部の開封口の蓋材の中央に切り込み３を設けて２分割し開封口１と開封口２とする。開封口１から開封口２と反対方向に蓋材４を引裂きながらフランジに沿って剥離することにより安定した剥離強度で容易に剥離することができる。さらに開封口２から開封口１と反対方向にフランジに沿って蓋材４を剥離することにより安定した剥離強度で容易に開封することができる。
【産業上の利用可能性】
【００１５】
本発明の包装容器は内容物の保存性を高めるための酸素遮蔽性の密封包装容器であり、使用時に容易に確実に開封して内容物を取り出すことができ、特に現在の高齢化社会において指先の力の弱くなっている高齢者や負傷、疾病により指先が不自由な人にも容易に開封することができるものである。
【図面の簡単な説明】
【００１６】
【図１】は実施例１の上方から見た平面図である。
【図２】は実施例１の開封時の第一段階の上方から見た平面図である。
【図３】は実施例１の開封時の第二段階の上方から見た平面図である。
【図４】は実施例２の上方から見た平面図である。
【図５】は実施例２の開封時の第一段階の上方から見た平面図である。
【図６】は実施例２の開封時の第二段階の上方から見た平面図である。
【図７】は実施例３の上方から見た平面図である。
【図８】は実施例３の開封時の第一段階の上方から見た平面図である。
【図９】は実施例３の開封時の第二段階の上方から見た平面図である。
【符号の説明】
【００１７】
１  開封口１
２  開封口２
３  切り込み
４  蓋材
５  シール部
【図１】
2005096787.tif 000002
【図２】
2005096787.tif 000003
【図３】
2005096787.tif 000004
【図４】
2005096787.tif 000005
【図５】
2005096787.tif 000006
【図６】
2005096787.tif 000007
【図７】
2005096787.tif 000008
【図８】
2005096787.tif 000009
【図９】
2005096787.tif 000010